(57)【要約】【課題】特定のユーザがウェブサイトにアクセスすることを可能とするＡＲ動画プロモーションシステムを提供する。【解決手段】第１のウェブサイト２ａを作成及び管理する第１の情報処理装置２と、第１のウェブサイト２ａにリンクする第１の表示が設けられた第２のウェブサイト３ａを作成及び管理する第２の情報処理装置３と、第２のウェブサイト３ａにリンクするマーカ１ａと、携帯端末４に設けられ、マーカ１ａを読み込む読込手段１１と、携帯端末４に設けられ、第１の表示を操作可能な入出力手段１４と、携帯端末４に設けられ、入出力手段１４により第１の表示が操作された場合は、第１のウェブサイト２ａにアクセスし、読込手段１１によりマーカ１ａが読み込まれた場合は、第２のウェブサイト３ａにアクセスする閲覧手段１３とを備え、前記第２のウェブサイトにはＡＲ動画が映し出されるものとする。【選択図】図１
2020201732.tif 000002
【特許請求の範囲】
【請求項１】
第１のウェブサイトを作成及び管理する第１の情報処理装置と、
前記第１のウェブサイトにリンクする第１の表示が設けられた第２のウェブサイトを作成及び管理する第２の情報処理装置と、
前記第２のウェブサイトにリンクするマーカと、
携帯端末に設けられ、前記マーカを読み込む読込手段と、
前記携帯端末に設けられ、前記第１の表示を操作可能な入出力手段と、
前記携帯端末に設けられ、前記入出力手段により前記第１の表示が操作された場合は、前記第１のウェブサイトにアクセスし、前記読込手段により前記マーカが読み込まれた場合は、前記第２のウェブサイトにアクセスする閲覧手段とを備え、
前記第２のウェブサイトにはＡＲ動画が映し出される
ことを特徴とするＡＲ動画プロモーションシステム。
【請求項２】
前記第１のウェブサイト上には、クライアント情報を入力可能な登録システムにリンクする第２の表示が設けられており、
前記入出力手段は、前記第２の表示を操作可能であり、
前記閲覧手段は、前記入出力手段により前記第２の表示が操作されると、前記登録システムにアクセスする
ことを特徴とする請求項１に記載のＡＲ動画プロモーションシステム。
【請求項３】
前記携帯端末に設けられ、前記読込手段により前記マーカを読み込むと、自社情報を前記携帯端末内に生成する情報生成手段を備える
ことを特徴とする請求項１又は２に記載のＡＲ動画プロモーションシステム。
【発明の詳細な説明】
【技術分野】
【０００１】
本発明は、ＡＲ動画プロモーションシステムに関するものである。
【背景技術】
【０００２】
近年、企業がインターネットを利用して集客を行う技術が普及している。例えば下記特許文献１には、ユーザの関心を引く情報をウェブサイト上にて提供することで、アクセス数を増やし、結果として集客に繋げる技術が開示されている。
【先行技術文献】
【特許文献】
【０００３】
【特許文献１】特開２００３−０２２２３５号公報
【発明の概要】
【発明が解決しようとする課題】
【０００４】
しかしながら、上記特許文献１のような技術では、特定のユーザがウェブサイトにアクセスすることを促進することができない。すなわち、特定のユーザをターゲットにして集客を行うことができず、不便である。
【０００５】
本発明は、上記技術的課題に鑑み、特定のユーザに対する集客を可能とするＡＲ動画プロモーションシステムを提供することを目的とする。
【課題を解決するための手段】
【０００６】
上記課題を解決するための第１の発明に係るＡＲ動画プロモーションシステムは、
第１のウェブサイトを作成及び管理する第１の情報処理装置と、
前記第１のウェブサイトにリンクする第１の表示が設けられた第２のウェブサイトを作成及び管理する第２の情報処理装置と、
前記第２のウェブサイトにリンクするマーカと、
携帯端末に設けられ、前記マーカを読み込む読込手段と、
前記携帯端末に設けられ、前記第１の表示を操作可能な入出力手段と、
前記携帯端末に設けられ、前記入出力手段により前記第１の表示が操作された場合は、前記第１のウェブサイトにアクセスし、前記読込手段により前記マーカが読み込まれた場合は、前記第２のウェブサイトにアクセスする閲覧手段とを備え、
前記第２のウェブサイトにはＡＲ動画が映し出される
ことを特徴とする。
【０００７】
上記課題を解決するための第２の発明に係るＡＲ動画プロモーションシステムは、
上記第１の発明に係るＡＲ動画プロモーションシステムにおいて、
前記第１のウェブサイト上には、クライアント情報を入力可能な登録システムにリンクする第２の表示が設けられており、
前記入出力手段は、前記第２の表示を操作可能であり、
前記閲覧手段は、前記入出力手段により前記第２の表示が操作されると、前記登録システムにアクセスする
ことを特徴とする。
【０００８】
上記課題を解決するための第３の発明に係るＡＲ動画プロモーションシステムは、
上記第１又は２の発明に係るＡＲ動画プロモーションシステムにおいて、
前記携帯端末に設けられ、前記読込手段により前記マーカを読み込むと、自社情報を前記携帯端末内に生成する情報生成手段を備える
ことを特徴とする。
【発明の効果】
【０００９】
本発明に係るＡＲ動画プロモーションシステムによれば、特定のユーザに対する集客を可能とする。
【図面の簡単な説明】
【００１０】
【図１】本発明の実施例に係るＡＲ動画プロモーションシステムの構成を説明するブロック図である。
【図２】本発明の実施例に係るＡＲ動画プロモーションシステムの動作を説明するフローチャートである。
【発明を実施するための形態】
【００１１】
以下、本発明に係るＡＲ動画プロモーションシステムについて、実施例にて図面を用いて説明する。
【実施例】
【００１２】
まず、図１のブロック図を用いて本実施例に係るＡＲ動画プロモーションシステムの構成を説明する。図１では、主に、名刺１、第１の情報処理装置２、第２の情報処理装置３、クライアント端末４、及び、登録システム６が表されている。
【００１３】
名刺１には、第２のウェブサイト３ａにリンクするＱＲコード１ａが付されている。この第２のウェブサイト３ａは、ウェブサーバである第２の情報処理装置３により作成及び管理されるものである（第１のウェブサイト２ａについては後述）。
【００１４】
クライアント端末４は、クライアントが所持する携帯端末であり、読込手段１１、情報生成手段１２、閲覧手段１３、入出力手段１４、通信手段１５、記憶手段１６、及び、制御手段１７を備えている。
【００１５】
入出力手段１４は、クライアントによる各種入力を受け付けるとともに、各種表示及び音声の出力を行う、ユーザインターフェースである。通信手段１５は、通信ネットワーク５との送受信を行う通信インターフェースである。記憶手段１６は、クライアント端末４の各種記憶を司るストレージである。制御手段１７は、クライアント端末４の各種制御を行うプロセッサである。
【００１６】
読込手段１１は、名刺１に表示されたＱＲコード１ａを読み込む機能を有するものである。
【００１７】
情報生成手段１２は、読込手段１１でＱＲコード１ａを読み込むと、名刺１に記載された自社（名刺１に記載された会社）情報（自社の名称、所在地、連絡先等）をクライアント端末４内に自動的に生成する（例えば、クライアント端末４内の連絡先リストに自社が追加される）。なお、生成された当該情報は記憶手段１５にて記憶され、入出力手段１４によってクライアントが自由に見ることができる。
【００１８】
閲覧手段１３は、ウェブサイトを閲覧するためのブラウザ機能を指す。特に本実施例においては、通信ネットワーク（インターネット）５を介して、第１のウェブサイト２ａ、第２のウェブサイト３ａ、登録システム６へのアクセスを行う。
【００１９】
また、自社が保有するウェブサーバとしての第１の情報処理装置２が作成及び管理する第１のウェブサイト２ａ上には、自社に関する情報が例えば動画で表示されるとともに、登録システム６にリンクする表示（タブ等）が設けられている。
【００２０】
登録システム６は、クライアントが入出力手段１４によりクライアント自身の情報（クライアント情報）を入力することができる。また、このクライアント情報は登録システム６に登録（記録）される。なお、この登録システム６は、自社以外の会社が保有するウェブサーバにより生成及び管理されるものである（例えばＬＩＮＥ（登録商標）の友だちリスト等）。
【００２１】
さらに、第２の情報処理装置３が作成及び管理する第２のウェブサイト３ａでは、自社に関する情報がＡＲ動画で映し出される（例えばＣＯＣＯＡＲ（登録商標）等）とともに、第１のウェブサイト２ａにリンクする表示（タブ等）が設けられている。この第２の情報処理装置３は、自社以外の会社が保有するウェブサーバである。
【００２２】
そして、第１のウェブサイト２ａでは、専門性の高いコンテンツを動画配信するようにし、第２のウェブサイト３ａでは、より汎用的でキャッチーな広告をＡＲ動画として配信するのが好ましい。
【００２３】
なお、上述の入出力手段１４は、第１のウェブサイト２ａに設けられた登録システム６にリンクする表示、及び、第２のウェブサイト３ａに設けられた第１のウェブサイト２ａにリンクする表示を操作（クリック等）することが可能である。
【００２４】
また、上述の閲覧手段１３は、入出力手段１４により第１のウェブサイト２ａに設けられた登録システム６にリンクする表示が操作された場合、通信ネットワーク５を介して登録システム６にアクセスし、第２のウェブサイト３ａに設けられた第１のウェブサイト２ａにリンクする表示が操作された場合、通信ネットワーク５を介して第１のウェブサイト２ａにアクセスし、読込手段１１によりＱＲコード１ａが読み込まれた場合、通信ネットワーク５を介して、第２のウェブサイト３ａにアクセスする。
【００２５】
以上が、本実施例に係るＡＲ動画プロモーションシステムの構成についての説明である。以下では、本実施例に係るＡＲ動画プロモーションシステムを用いた集客の流れについて、図２のフローチャートを用いてその一例を説明する。
【００２６】
ステップＳ１では、クライアントがクライアント端末４を操作し、読込手段１１によって名刺１に表示されたＱＲコード１ａを読み込む。
【００２７】
ステップＳ２Ａでは、クライアント端末４に自社情報が生成される。すなわち、クライアント端末４の連絡先リストに自社が追加される。
【００２８】
ステップＳ２Ｂでは、ステップＳ１で読み込んだＱＲコード１ａの情報に基づき、クライアント端末４が通信ネットワーク５を介して第２のウェブサイト３ａにアクセスすることで、クライアントが第２のウェブサイト３ａを閲覧できるようにする。このウェブサイト３ａでは、汎用的でキャッチーな広告のＡＲ動画が配信されており、クライアントの興味を引く内容となっている。なお、ステップＳ２ＡとステップＳ２Ｂとは、並行して行われる。
【００２９】
ステップＳ３では、ステップＳ２Ｂにより自社に興味を持ったクライアントが、第２のウェブサイト３ａ上に表示されているリンクをクライアント端末４からクリック操作することで、通信ネットワーク５を介して第１のウェブサイト２ａにアクセスし、クライアントが第１のウェブサイト２ａの動画を閲覧できるようにする。この動画は専門性の高い動画となっており、クライアントが自社との具体的な取引を希望しやすくなる。
【００３０】
ステップＳ４では、ステップＳ３により自社との取引を希望するようになったクライアントが、第１のウェブサイト２ａ上に表示されているリンクをクライアント端末４から操作することで、通信ネットワーク５を介して登録システム６にアクセスし、クライアントがクライアント端末４を操作することで、登録システム６に所定のクライアント情報を入力する。
【００３１】
なお、ステップＳ４で入力されたクライアント情報は、登録システム６に登録（記録）され、自社が管理することができる。
【００３２】
本実施例では、本実施例が名刺１及びそれに設けられたＱＲコード１ａを備えるものとしたが、本発明はこれに限定されるものではない。すなわち、ＱＲコード１ａに代えて各種マーカを設け、読込手段１１はそれを読み込むようにしてもよい。そして、このマーカは、名刺１だけではなく、用途に合わせて本や壁に設けるなど種々の変更が可能である。
【００３３】
また本実施例では、第２の情報処理装置３は、自社以外の会社が保有するウェブサーバであるものとしたが、本発明は、これに限定されるものではなく、自社が保有するウェブサーバとしてもよい。
【００３４】
さらに本実施例では、登録システム６が第１の情報処理装置２以外のウェブサーバによって生成及び管理されるものとしているが、本発明はこれに限定されるものではない。すなわち、第１の情報処理装置２により、登録システム６を第１のウェブサイト２ａ上に表示するようにしてもよい。その場合、クライアントが入力した情報は、第１の情報処理装置２やその他自社が保有する装置に登録されることになる。
【００３５】
本実施例に係るＡＲ動画プロモーションシステムでは、自社が名刺あるいは自社出版の書籍等を直接クライアントに配ることで、そこに配されたＱＲコード等のマーカから、クライアントが自社に関連するウェブサイトにアクセスすることになる。これにより、特定のユーザがウェブサイトにアクセスすることが可能となる。
【００３６】
さらに、ウェブサイトで配信するコンテンツを２段階（第１のウェブサイト及び第２のウェブサイト）に分けることで、クライアントを登録システムにより誘導しやすくなる。
【産業上の利用可能性】
【００３７】
本発明は、ＡＲ動画プロモーションシステムとして好適である。
【符号の説明】
【００３８】
１  名刺
１ａ  ＱＲコード（マーカ）
２  第１の情報処理装置
３  第２の情報処理装置
４  クライアント端末（携帯端末）
５  通信ネットワーク
６  登録システム
１１  読込手段
１２  情報生成手段
１３  閲覧手段
１４  入出力手段
１５  通信手段
１６  記憶手段
１７  制御手段
【図１】
2020201732.tif 000003
【図２】
2020201732.tif 000004